(57)【要約】      （修正有）【課題】使用中の誤操作を防止し、素早く通常の操作状態に戻せ、不使用時にスイッチが入ることを防ぐイベント用発光器具を提供する。【解決手段】イベント用発光器具１において、発光部であるカバー部材２が把持部３の一端側に配され、略円柱形状の部分に発光器具の操作部５が配置される。略円柱形状の部分には、操作部を被覆する保護域と操作部が現われる開放域とを有すると共に円周方向に可動な環状保護部材６が取り付けられる。把持部には、環状保護部材用の支持部７が円周方向に設けられ、環状保護部材の一方側が支持部に当接することにより、把持部の他端側への動きが制限される。環状保護部材の他方側からは、カバー部材が直接または介在具を介して、環状保護部材が円周方向に可動となると共に、環状保護部材における把持部の一端側への動きが制限されるように把持部に取り付けられ、環状保護部材の保護域により操作部を被覆して保護する。【選択図】図１
2020068095.tif 000002
【特許請求の範囲】
【請求項１】
イベントやコンサートで参加者が用いる発光器具（イベント用発光器具）の操作部保護構造であって、
前記発光器具は、発光部であるカバー部材が把持部の一端側に配され、前記把持部は少なくとも前記一端側に略円柱形状を有し、この略円柱形状の部分に前記発光器具の操作部が配置される構造を有し、
前記略円柱形状の部分には、前記操作部を被覆する保護域と該操作部が現われる開放域とを有すると共に円周方向に可動な環状保護部材が取り付けられ、
前記把持部には、前記環状保護部材用の支持部が円周方向に設けられ、前記環状保護部材の一方側の少なくとも一部がこの支持部に当接することにより、該環状保護部材は前記把持部の他端側への動きが制限され、
前記環状保護部材の他方側からは、前記カバー部材が直接または介在具を介して、該環状保護部材が前記円周方向に可動となると共に、該環状保護部材における前記把持部の一端側への動きが制限されるように前記把持部に取り付けられ、
前記環状保護部材の保護域により前記操作部を被覆して保護する
ことを特徴とする、イベント用発光器具の操作部保護構造。
【請求項２】
前記把持部の一端側に２つの係止部が設けられ、
前記２つの係止部に当接する当接部が前記環状保護部材に設けられ、
前記当接部が前記２つの係止部の間を移動する範囲を前記環状保護部材の可動域とし、
前記係止部及び当接部は、前記可動域の一方の限界が、前記開放域から前記操作部が完全に現れる状態（露出状態）で前記環状保護部材が係止される位置に配されるとともに、前記可動域の他方の限界が、前記保護域に前記操作部が完全に被覆される状態（被覆状態）で前記環状保護部材が係止される位置に配される、
請求項１に記載のイベント用発光器具の操作部保護構造。
【請求項３】
前記把持部において、前記係止部のいずれか一方又は両方の近くに、当接部が係合する係合部が設けられ、
前記当接部が前記いずれかの係止部に当接するとともに、その近くに配された係合部に係合することにより、前記露出状態または前記被覆状態が保たれるように構成された、
請求項２に記載のイベント用発光器具の操作部保護構造。
【請求項４】
前記２つの係止部の間に複数の緩衝部が設けられ、
前記当接部が前記緩衝部に接触することにより、前記環状保護部材の動きが緩和される、
請求項２又は３に記載のイベント用発光器具の操作部保護構造。
【請求項５】
前記環状保護部材に操作を補助する操作補助部が設けられた請求項１〜４のいずれか一項に記載のイベント用発光器具の操作部保護構造。
【請求項６】
請求項１〜５のいずれか一項に記載のイベント用発光器具の操作部保護構造を用いたイベント用発光器具。
【発明の詳細な説明】
【技術分野】
【０００１】
本発明は、各種イベントやコンサートなど（本明細書において、総称して「コンサート等」という）で主に観客等の参加者が手に持って用いるペンライト、スティックライト、棒状のライトなどの発光器具（本明細書において、単に「イベント用発光器具」と称する。）に関する。
【背景技術】
【０００２】
イベント用発光器具は、通常、ＬＥＤ等の光源から発せられた光が照らされて発光する発光部と、使用者が該発光器具を手で持つための把持部とを有する。発光部にはカバー部材が用いられ、このカバー部材が把持部の上方に取り付けられる。把持部は略円筒形状で片手に入る程度のサイズのものが主流である。この把持部を握り、その上方に取り付けられる発光部を発光させて使用する。
【０００３】
イベント用発光器具においては、スイッチのオン−オフや発光色の切り替え等を行う操作部が、把持部の側面に設けられることが多い（特許文献１の図２等参照）。これによると、使用者がイベント用発光器具を持った（握った）状態で、その操作部の操作をし易いものとなる。特に、操作部が把持部の側面の上部（発光部側）に配された場合、例えばイベント用発光器具を左手に持った状態で、左手の親指等で容易に操作することが可能である。
【０００４】
一方、このように操作しやすい位置に配される操作部は、接触され易い位置にあるとうことでもあり、予期しないところで器具のスイッチが入ってしまうといった問題があった。より具体的には、例えばイベント用発光器具を鞄に入れて持ち運ぶ際、鞄の中で他の物が操作部に接触し、器具のスイッチが入ってしまい、無駄な電力が消費されてしまうといったことが生じていた。イベント用発光器具は、電力の限られた乾電池やボタン電池を電源としているため、そのようにして電力が消費されてしまうと、イベントにおいて使用しようとする際に、充分な電力が残されておらず、器具を使用できなくなるといったおそれもあった。
【０００５】
イベント用発光器具において、このように予期せずスイッチが入ってしまうのを防ぐ手段はこれまでに提案されておらず、使用者としては一旦電池を外して持ち運ぶ等するほかなかった。しかし、持ち運びのたびに電池を外し、使用時に電池を装着するのは非常に煩雑であった。
【０００６】
イベント用発光器具の中には、把持部の底面側に操作部が設けられたものも存在する（特許文献２）。操作部をこのように配置すれば、他の物との接触が比較的回避され易くなる。しかしながら、このように操作部を底面側に配置すると、使用する際の操作の容易性が損なわれるという問題が生じる。例えば、把持部を左手で握ったまま、左手（の指）によって操作部を操作するということができない。そのため、かかる操作部の配置構成では、本来重要となる操作の容易性が失われる。
【０００７】
特に、近年、例えば複数のメンバーがそれぞれのイメージカラーを有するアイドルグループのコンサート等において、ステージの進行に応じ、コンサート参加者（観客）が、イベント用発光器具を自主的に次々と各メンバーのイメージカラーで発色発光させて応援するといったことが行われており、発光色を頻繁、迅速に変えたいとの要請に応える必要がある。
【０００８】
反面、近時のイベントにおいては、参加者（観客）が特定のメンバーや曲の演奏時に特定の色でイベント用発光器具を発色発光させる（観客が自主的に特定の発光色に揃える）場合もあり、その間は誤操作により発光してしまったり発光色が変更されてしまったりするのを防ぐ必要（その発光色を維持したい要請）がある。
【０００９】
また、近時では、イベント用発光器具を用いた踊りなども行われている。これは、例えば複数人が、イベント用発光器具を激しく振りながら、統制のとれた振り付けで踊るといったものが多く、イベント用発光器具の発光色を統一させたり、各自が決められたとおりに発光させたりするが、その際においても、誤操作により発光色が変更されてしまうなどを防ぐことが求められる。
【００１０】
更に、イベント用発光器具の操作においては、器具自体を見ることなく操作できることが必要である。すなわち、イベントの観客（イベント用発光器具の使用者）にとって最大の関心は舞台にあり、使用者が舞台を見ながら（つまりイベント用発光器具を見ることなく）、操作部の操作、誤操作防止の設定・解除を行うことができるような構成とする必要がある。
【先行技術文献】
【特許文献】
【００１１】
【特許文献１】特開２０１５−２０４２４６
【特許文献２】特開２０１４−１９９７７２
【発明の概要】
【発明が解決しようとする課題】
【００１２】
本発明は、上記の問題を解決することを課題とするものであり、使用時に発光色の切り替えを素早く行えるとの操作性を損なわない一方、使用中の誤操作を容易に防止できるとともに、誤操作防止状態を素早く解除して通常の操作状態に戻すことができ、かつ、不使用時にスイッチが入ること（誤作動）を防ぐイベント用発光器具の操作部保護構造、そのための部材及びこれらを用いたイベント用発光器具を提供することを課題としてなされたものである。
【課題を解決するための手段】
【００１３】
上記課題を解決するため、本発明は、イベント用発光器具の不使用時の誤作動を防止するのみならず、使用時における操作部の操作と保護とを同じ指で行うことによりこれら及びその切り替えを頻繁に行えるように構成する。
【００１４】
すなわち、第１の側面として、本発明は、
イベントやコンサートで参加者が用いる発光器具（イベント用発光器具）の操作部保護構造であって、
前記発光器具は、発光部であるカバー部材が把持部の一端側に配され、前記把持部は少なくとも前記一端側に略円柱形状を有し、この略円柱形状の部分に前記発光器具の操作部が配置される構造を有し、
前記略円柱形状の部分には、前記操作部を被覆する保護域と該操作部が現われる開放域とを有すると共に円周方向に可動な環状保護部材が取り付けられ、
前記把持部には、前記環状保護部材用の支持部が円周方向に設けられ、前記環状保護部材の一方側の少なくとも一部がこの支持部に当接することにより、該環状保護部材は前記把持部の他端側への動きが制限され、
前記環状保護部材の他方側からは、前記カバー部材が直接または介在具を介して、該環状保護部材が前記円周方向に可動となると共に、該環状保護部材における前記把持部の一端側への動きが制限されるように前記把持部に取り付けられ、
前記環状保護部材の保護域により前記操作部を被覆して保護する
ことを特徴とする、イベント用発光器具の操作部保護構造を提供する。
第２の側面として、本発明は、
前記把持部の一端側に２つの係止部が設けられ、
前記２つの係止部に当接する当接部が前記環状保護部材に設けられ、
前記当接部が前記２つの係止部の間を移動する範囲を前記環状保護部材の可動域とし、
前記係止部及び当接部は、前記可動域の一方の限界が、前記開放域から前記操作部が完全に現れる状態（露出状態）で前記環状保護部材が係止される位置に配されるとともに、前記可動域の他方の限界が、前記保護域に前記操作部が完全に被覆される状態（被覆状態）で前記環状保護部材が係止される位置に配される、
上記のイベント用発光器具の操作部保護構造を提供する。
第３の側面として、本発明は、
前記把持部において、前記係止部のいずれか一方又は両方の近くに、当接部が係合する係合部が設けられ、
前記当接部が前記いずれかの係止部に当接するとともに、その近くに配された係合部に係合することにより、前記露出状態または前記被覆状態が保たれるように構成された、上記のイベント用発光器具の操作部保護構造を提供する。
第４の側面として、本発明は、
前記２つの係止部の間に複数の緩衝部が設けられ、
前記当接部が前記緩衝部に接触することにより、前記環状保護部材の動きが緩和される、
上記のイベント用発光器具の操作部保護構造を提供する。
第５の側面として、本発明は、
前記環状保護部材に操作を補助する操作補助部が設けられ上記のイベント用発光器具の操作部保護構造を提供する。
第６の側面として、本発明は、
上記いずれかのイベント用発光器具の操作部保護構造を用いたイベント用発光器具を提供する。
【発明の効果】
【００１５】
本発明によれば、イベント用発光器具において、使用中の誤操作を容易に防止できるとともに、誤操作防止状態を素早く解除して通常の操作状態に戻すことができ、かつ、不使用時にスイッチが入ることを防ぐことが可能となる。
【図面の簡単な説明】
【００１６】
【図１】本発明の一実施形態を示す図である。
【図２】本発明の一実施形態における構造の一部の一例を示す図である。
【図３】本発明の一実施形態における構造の一部の一例を示す図である。
【図４】本発明の一実施形態において追加部材を用いた例を示す図である。
【図５】本発明の一実施形態を示す図である。
【図６】本発明の一実施形態における構造の一部の一例を示す図である。
【図７】本発明の一実施形態における構造の一部の一例を示す図である。
【図８】本発明の一実施形態における構造の一部の一例を示す図である。
【図９】本発明の一実施形態における構造の一部の一例を示す図である。
【図１０】本発明の一実施形態における構造の一部の一例を示す図である。
【図１１】本発明の一実施形態を示す図である。
【図１２】本発明の一実施形態における構造の一部の一例を示す図である。
【発明を実施するための形態】
【００１７】
以下、本発明に係る実施形態を、図面を参照しながら具体的に説明する。なお、各図面や実施形態の説明において同様の部材などには同じ符号を用いている。
【００１８】
本発明は、発光部であるカバー部材と、手で持つ部分となる把持部を有するイベント用発光器具に用いられる。カバー部材は種々の形状のものがあり得るが、本実施形態においては、棒状ないしスティック状のライトで、図１に示すような、イベント用発光器具１における略円柱形状（略円筒形）で上部が閉じたカバー部材２（最も一般的な形状である）を用いる。カバー部材は、把持部３の一端側（図１において把持部３の上部側）に配される。
【００１９】
把持部も種々の形状があり得るが、本発明においては、少なくともカバー部材が配される一端側４（図３参照）が略円柱形状を有し、この略円柱形状の部分に、イベント用発光器具のオン−オフ、発光色の変更などを操作する操作部（操作ボタン）５が配置される構造を有するものとする。このように、カバー部材が配される把持部の一端側４に操作部５を設けると、例えば把持部３を左手で握ったときに、左手親指が無理なく操作部付近に位置し得るため、左手親指により操作部における操作を行うことが容易となる。
【００２０】
本発明の実施形態においては、説明の便宜上、把持部３は全体が略円筒形のものを用いる。上記のとおり、把持部３の、カバー部材２が配される一端側４は、略円柱形状である。この一端側を略円柱形状とするのは、後述の環状保護部材をこの部分に円周方向に可動となるように取り付けるためである。
【００２１】
なお、把持部３には、ＬＥＤ等により構成される光源部２３、光源部の発光を制御する制御手段（図示せず）、乾電池やボタン電池等を収納する電池収納部（図示せず）などが設けられる。
【００２２】
把持部の上記略円柱形状の部分４（カバー部材が配される一端側に位置）には、これに対応する形状、すなわち、環状で、略円柱形状の部分４の円周方向に可動となる環状保護部材６が取り付けられる。環状保護部材の一例を図２に示す。図２の環状保護部材は、図１に示すものと同じものである。後述のとおり、この環状保護部材が、操作部を保護する。
【００２３】
把持部３には、環状保護部材６を取り付けたときにこれを支持する支持部７が円周方向に設けられる。支持部の一例につき、環状保護部材が取り付けられていない状態のものを図３に示す。この例では、把持部に支持部７が設けられている。支持部は把持部の全周に亘って切れ目なく（一周するように）設けてもよいが、図３に示されるように、全周ではなく円周方向に一部、設けるものとすることもできる。この例では、操作部５の下には支持部７を設けないものとしているが、このように操作部の下に支持部を設けないようにすれば、操作部を操作する際に指が支持部に引っかかることがなく、操作時の円滑な動作を実現することが可能となる。なお、図３に現れていない把持部背面側において、支持部７は、図３の向かって右側に示されている支持部７から向かって左側に示されている支持部７にかけて、切れ目なく設けられることができる。
【００２４】
環状保護部材は、一方側（図２において下側環状部分８）の少なくとも一部が支持部に当接し、支持部によって支持される。すなわち、環状保護部材は、把持部の他端側（カバー部材が配される側と反対側）への動きが制限され、支持部よりも把持部の他端側へ移動（落下等）するのを防止することができる。
【００２５】
支持部は、把持部と別の部材としてではなく、把持部を構成するパーツの一部に設けると（把持部のこの部分は段差が設けられたような形状となる）、環状保護部材が把持部の他端側へ移動（落下等）するのをより一層確実に防止することができ、好適である。
【００２６】
環状保護部材は、イベント用発光器具の操作部を被覆する保護域９と、操作部が露出される（現われる）開放域１０とを有する。また、環状保護部材は、把持部の上記略円柱形状の部分に取り付けられた状態で、この部分の円周方向に（図１において左右に）動かすことができるように構成する。すなわち、環状保護部材を円周方向に動かすことにより、保護域９で操作部５を被覆したり、操作部５に開放域１０を合わせることで操作部が現われたりするものとなる。
【００２７】
上記のとおり操作部は、把持部を握ったまま、指一本（操作部を操作する指、例えば把持部を右手で握る場合は右手の親指、左手であれば左手の親指）で操作することができる位置に設けられる。そして、環状保護部材は、かかる操作部を保護するために、これを被覆できる位置に設けられる。よって、イベント用発光器具のユーザーは、環状保護部材についても、例えばイベント用発光器具の使用中に把持部を握ったまま、指一本（操作部を操作する指、例えば右の親指）のみで動かすことができるものとなる。
【００２８】
操作部が保護域により被覆されると、保護域により操作部が覆われて保護されるため、誤って操作部が押されるのを（例えば、消灯状態から誤って点灯されることを）防ぐことができる。保護域は操作部を物理的に被覆するものであるため、例えば電子的ないし電気的に絶縁することにより操作部を操作できないようにする構成におけるような故障を生じるおそれがなく、操作の禁止を確実に実現することが可能である。
【００２９】
一方、本発明においては、操作部が被覆されない開放域が環状保護部材に設けられることから、環状保護部材を動かして開放域を操作部に適用すると、操作部が現われてイベント用発光器具の操作を行うことが可能となる。図１は、操作部５の位置に開放域（図２において符号１０で示される部分）が合わせられた状態（開放域から前記操作部が完全に現れる状態。露出状態。）を示している。また、操作部５が保護域９に完全に覆われた状態（被覆状態）は、図５に示されている。なお、図５は、後述の介在具１２を用いた場合の例にて示している。
【００３０】
環状保護部材６、把持部３及びカバー部材２の取付け構成として、環状保護部材６を把持部３に篏合させた後、環状保護部材６の他方側（図２において上側環状部分１１）から、カバー部材２が把持部３に取り付けられる。これらの取付け手段としては、ねじ込み式その他、従来の方式を用いることができる。なお、図１において示されるとおり、カバー部材２が環状保護部材６と接する箇所は、裾が若干広がるような形状とし、カバー部材２が環状保護部材６を押さえるように構成してもよい。
【００３１】
環状保護部材６を把持部３に取り付けた際に、環状保護部材６が把持部の円周方向に可動となるように（例えば環状保護部材の上側環状部分と、カバー部材の間にいわゆる遊びを設けるなどして）構成する。
【００３２】
環状保護部材６は、下方が支持部７に支持され、把持部の他端側（下側）への動きが制限されるとともに、上方からカバー部材２が取り付けられることにより、把持部の一端側（上側）への動きが制限される（把持部の上側から環状保護部材が外れることがない）。
【００３３】
このような構成とすることにより、ユーザーによって激しく振られることも多いイベント用発光器具において、環状保護部材を円周方向に可動としつつ、これが誤ってイベント用発光器具から外れてしまうような事態を確実に防ぐことが可能となる。
【００３４】
カバー部材と把持部の間には、介在具を設けてもよい。介在具を設けた例を図４に示す。この場合、例えばカバー部材２を介在具１２にねじ込めるように構成し（カバー部材の下側と介在具の内側が螺合するように構成し）、かつ、介在具１２を把持部の一端側（上側）に取り付けるように構成する。介在具１２の、把持部一端側（上側）への取り付け方は、篏合その他、従来の方法を用いることができる。なお、イベント用発光器具を激しく振っても容易に外れない取付け方を採用する。
【００３５】
カバー部材を把持部の一端側（上側）に直接取り付けるものとする場合、この一端側に、カバー部材と螺合する部分を設ける必要があるが、そのように構成すると、把持部の一端側の口径を必要に応じ大きくせざるを得ないことがある。把持部の一端側が大きくなると、環状保護部材の取り付けが難しくなる可能性がある。上記のように介在具を設けることにより、把持部の一端側（上側）に螺合部分を設けることなく（従ってまた、把持部の一端側を不必要に大きくせずに）、環状保護部材が把持部の上側から外れるのを防ぐことが可能となる。
【００３６】
本発明によれば、イベント用発光器具の使用中に、環状保護部材の保護域を操作部に適用することにより、誤って操作部に触れて操作してしまうことを容易に防止できるとともに、指一本で環状保護部材の開放域を操作部に適用することにより、この防止状態を素早く解除して通常の操作状態に戻すことができる。イベント用発光器具の使用中（すなわちイベント開催中）は、イベント用発光器具のユーザーにとっては、イベント（舞台）を注視することが最も重要であり、ユーザーが（イベント用発光器具はほとんど見ずに）器具を操作できれば極めて有利かつ便宜である。本発明によれば、指一本で容易に操作できるため、かかる要請に応えることが可能である。
【００３７】
加えて、本発明によれば、イベント用発光器具の不使用時においては、環状保護部材の保護域を操作部の位置に適用しておくことにより、誤ってスイッチが入ることを防ぐことが可能となる。例えば、イベント用発光器具につき、環状保護部材の保護域を操作部に適用して鞄に収納すれば、操作部が鞄内で他の収納品によって押されるなどして点灯してしまうといったことを防止することが可能となる。
【００３８】
本発明においては、環状保護部材の円周方向の動きが一定の範囲内となるように制限されるように構成するのが好適である。かかる構成として、把持部の一端側（カバー部材を取り付ける側）に、係止部を設けるとともに、この係止部に当接する当接部を環状保護部材に設ける。当接部が係止部に当接することにより、環状保護部材の円周方向の動きが制限される。図６において、かかる係止部が２つ（符号１３と１８で示される箇所）が設けられた例が示されている。この例では、把持部の一端側円周方向に横長の窪みが設けられ、その左右の両端を係止部（１８、１３）としている。また、図７において、環状保護部材６０の上側かつ内側に、当接部１４が１つ設けられた例が示されている。なお、図６の略円柱形状の部分は、介在具１２を用いる場合（図４）のものにかかるが、これを用いない場合も基本的には同様であり、適宜変更することが可能である。
【００３９】
この例によれば、当接部１４が２つの係止部１３、１８の間を移動する範囲が、環状保護部材６の可動域となる。
【００４０】
そして、これらの係止部及び当接部は、環状保護部材の可動域の一方の限界が、環状保護部材の開放域から操作部が完全に現れる状態（露出状態。図１や図４に示されるような状態。）で環状保護部材が係止される位置に配されるとともに、環状保護部材の可動域の他方の限界が、環状保護部材の保護域に前記操作部が完全に被覆される状態（被覆状態。図５に示されるような状態。）で環状保護部材が係止される位置に配されるものとする。
【００４１】
このような配置となるように構成することにより、ユーザーは、環状保護部材を一方の限界まで移動させれば露出状態が得られ、他方の限界まで移動させれば被覆状態が得られることとなるため、両状態を容易に得ることが可能となる。
【００４２】
更に、係止部のいずれか一方又は両方の近くに、当接部が係合する係合部を設けるのが好ましい。
【００４３】
図８に係合部を設けた構成の一例を示す。この例では、把持部の一端側の略円柱形状の部分において、係止部に隣接して凸状の係合部１５が設けられている。また、図９において、環状保護部材の当接部１４に、係合部の凸状に対応した凹状部分１６が設けられている。図９に示された環状保護部材が、図８に示された把持部に取り付けられた場合において、露出状態を得る例（操作部が完全に現れる方向に環状保護部材を移動させる例）を用いて説明すると、環状保護部材６１の開放域１０を、把持部３の操作部５の位置に合わせるように、環状保護部材６１を円周方向（図８の右側方向）にスライド（回転）させると、まず当接部の端（図９（Ａ）において右端）が、凸状の係合部１５（図８において左端）に当たる。環状保護部材６１を同方向に更に回転させると、当接部１４の上記右端が係止部１３に当接するとともに、当接部１４に設けられた凹状部分１６に、凸状の係合部１５が係合する。このようにして凹状部分と凸状の係合部が係合されると、環状保護部材６１がこの係合の位置で保持される。
【００４４】
すなわち、係止部の近くに係合部を設け、当接部が係止部に当接するとともに、その近くに配された係合部に係合するように構成することにより、露出状態（上述の例）または被覆状態（操作部が完全に被覆される方向に環状保護部材を移動させた場合）が保たれるものとなる。従って、環状保護部材が歯止めのない状態で円周方向に自然と移動してしまうことを、回避することが可能となる。かかる構成、構造はシンプルであるため、部品の成型、製造等においても有利である。
【００４５】
なお、図８（後述の図１０、図１１も同じ）は、介在具１２を用いた場合（図４）のものにかかるが、これを用いない場合も基本的には同様であり、適宜変更することが可能である。
【００４６】
本発明は、把持部の一端側の略円柱形状の部分において、係止部の間に、環状保護部材の動きを緩和するための複数の緩衝部を設けるように構成することも可能である。
【００４７】
図１０に、係る緩衝部を設けた構成の一例を示す。この例では、２つの係止部１３、１８の間に、（１）複数個の小さい凸状の緩衝部１９を設けるとともに、（２）図１０において係合部１５よりも少し右側の位置に、前述の係合部１５と同程度の大きさの緩衝部２０を設けている。
【００４８】
環状保護部材が円周方向に移動する際に、当接部が緩衝部に接触することにより、環状保護部材の動きが緩和される。
【００４９】
例えば左手（又は右手）の親指のみで環状保護部材を円周方向に移動させる際に、上記（１）によれば、環状保護部材の停止位置を微妙に調整することが可能となる。
【００５０】
また、上記（２）においては、ユーザーが被覆状態を形成しようとする際に、まず当接部がこの緩衝部２０に当たる。この段階で、操作部は保護域によって完全には被覆されていないが操作部を操作できない（スイッチを押せない）、という状態が作出される。図１１（Ａ）にかかる状態の一例が示されている。係合部を設けている場合、当接部が係合部に係合すると、これを解除するには若干の力が必要となり、例えば左手親指のみで係合を解除するのが容易でないこともあり得る。上記（２）によれば、イベント開催中（イベント用発光器具の使用中）に、操作部５をほぼ被覆してひとまずの誤操作を防止したり、これを解除して操作可能状態としたりすることが、例えば左手親指のみでも容易に行えるものとなる。
【００５１】
上記（１）又は（２）のみを設けるように構成することも可能である。
【００５２】
なお、操作部が保護域によって完全には被覆されていないが操作部を操作できない（スイッチを押せない）状態は、環状保護部材を係合部１７に当てた状態（係合させる前段階）でも作出できる。図１１（Ｂ）にこの状態の一例が示されている。この状態においては、操作部は、保護域によって完全には被覆されないが、ほぼ被覆されている。
【００５３】
環状保護部材には、操作を補助し、操作性を高める（指で操作しやすくする）ための操作補助部を設けることもできる。操作補助部材、指の引っ掛かりが良くなる形状とする。図１２に操作補助部の一例を示す。図１２では、環状保護部材６２の外側の正面中央に、縦長凸状の操作補助部２１の例が示されている。ユーザーは、この操作補助部によって、環状保護部材をより容易に操作する（左右に動かす）ことができる。手元が薄暗がりの会場で環状保護部材を操作する場合や、舞台を注視しイベント用発光器具を見ずに操作する場合などにおいては、操作補助部材は特に有利となる。
【００５４】
更に、環状保護部材には、空気が流通するための通気孔を設けてもよい。図１２にその一例が示されている。図１２においては、環状保護部材６２に４つの通気孔２２が設けられた例が示されている。イベント用発光器具の光源から熱が発せられると、把持部やその付近が高温になる可能性がある。そこで、空気が流通するように通気孔を設けるのが好ましい。通気孔の大きさ、形状、個数は、適宜決することができる。
【００５５】
また、略円柱形状の部分４にも空気を流通させるための孔（図示せず）を設けることもできる。環状保護部材の通気孔と併せて設けると、空気の流通がより一層促進される。その場合、露出状態において、略円柱形状の部分に設けられた孔と通気孔とが重ならないように構成すると、外側から孔の内部が視認されにくくなり、見栄えもよいものとなる。なお、この場合も空気は流通し得る。
【産業上の利用可能性】
【００５６】
本発明によれば、スイッチのオン−オフや発光色の切り替え等を行う操作部が、把持部の側面に設けられるイベント用発光器具に適用することができる。すなわち、使用者は、例えばイベント用発光器具を左手に持った状態で、左手の親指等で操作部を容易に操作することができるとともに、操作保護に関する操作についても、同様に左手の親指等で容易に行うことが可能である。従って、使用者が舞台を見ながら（つまりイベント用発光器具を見ることなく）、操作部の操作、誤操作防止の作動・解除を行うことができるものとなる。
【００５７】
加えて、操作部が上記のとおり操作しやすい位置に配されるにもかかわらず、予期しないところで器具のスイッチが入ってしまうといった問題を回避することができる。従って、乾電池やボタン電池の限られた電力が無駄に消費され、イベントにおいて器具を使用しようとして、予期せず電力不足に陥り器具を使用できなくなるといった問題も回避することが可能である。
【００５８】
また、本発明によれば、上述のような近年のイベントにおける特色および要請（発光色を頻繁、迅速に変える必要がある場面がある反面、特定の発光色の維持が望まれ誤って発光色を変更しないようにすることが要請される場面もある）に応えることが可能となる。
【００５９】
このように、本発明は、イベント用発光器具に特有の課題に対処するものであり、当業界における産業上の利用可能性は極めて高い。
【符号の説明】
【００６０】
１  イベント用発光器具
２  カバー部材
３  把持部
４  略円柱形状の部分
５  操作部
６、６０、６１、６２  環状保護部材
７  支持部
８  下側環状部分
９  保護域
１０  開放域
１１  上側環状部分
１２  介在具
１３、１８  係止部
１４  当接部
１５、１７  係合部
１６  凹状部分
１９、２０  緩衝部
２１  操作補助部
２２  通気孔
２３  光源部（ＬＥＤ）
【図１】
2020068095.tif 000003
【図２】
2020068095.tif 000004
【図３】
2020068095.tif 000005
【図４】
2020068095.tif 000006
【図５】
2020068095.tif 000007
【図６】
2020068095.tif 000008
【図７Ａ】
2020068095.tif 000009
【図７Ｂ】
2020068095.tif 000010
【図８】
2020068095.tif 000011
【図９Ａ】
2020068095.tif 000012
【図９Ｂ】
2020068095.tif 000013
【図１０】
2020068095.tif 000014
【図１１Ａ】
2020068095.tif 000015
【図１１Ｂ】
2020068095.tif 000016
【図１２】
2020068095.tif 000017